(57)【要約】      （修正有）【課題】従来予め用意していなくてはならなかったガラステープを必要とせずに、ＣＲＴの裏面に消磁コイルを張設状態で容易に取り付けられ、消磁コイルのどの部分が下にきてもこの消磁コイルをＣＲＴの裏面に取り付けられ、何回も取り外し可能とすることができるＣＲＴへの消磁コイルの取付構造を提供する。【解決手段】ＣＲＴ１の上部の左右両側端部の耳部２、３に取り付けられた両ホルダー４、５に消磁コイル６を引っ掛けて、消磁コイル６を張設した状態でその下部をＣＲＴ１の下部側の裏面に取付固定するようにし、消磁コイル６が左右移動可能に通されている輪状部９と、ＣＲＴ１の下部側の裏面に吸着される吸盤７と、輪状部９と吸盤７とを連結する紐状部１０とからなるゴム製のコイル取付具８を用いて、吸盤７をＣＲＴ１の下部側の裏面に吸着させることによって、消磁コイル６をＣＲＴ１の裏面側に張設した状態で取付固定するようにした。【選択図】  図１
2004328684.tif 000002
【特許請求の範囲】
【請求項１】
ＣＲＴの上部の左右両側端部の耳部に取り付けられた両ホルダーに消磁コイルを引っ掛けて、前記消磁コイルを張設した状態でその下部を前記ＣＲＴの下部側の裏面に取付固定するようにしたＣＲＴへの消磁コイルの取付構造において、前記消磁コイルが左右移動可能に通されている輪状部と、前記ＣＲＴの下部側の裏面に吸着される吸盤と、前記輪状部と前記吸盤とを連結する紐状部とからなるゴム製のコイル取付具を用いて、前記吸盤を前記ＣＲＴの下部側の裏面に吸着させることによって、前記消磁コイルを前記ＣＲＴの裏面側に張設した状態で取付固定するようにしたことを特徴とするＣＲＴへの消磁コイルの取付構造。
【請求項２】
ＣＲＴの上部の左右両側端部の耳部又は耳部に取り付けられた両ホルダーに消磁コイルを引っ掛けて、前記消磁コイルを張設した状態でその下部を前記ＣＲＴの下部側の裏面に取付固定するようにしたＣＲＴへの消磁コイルの取付構造において、前記消磁コイルが左右移動可能に通される輪状体と、前記ＣＲＴの下部側の裏面に吸着される吸盤と、前記輪状部と前記吸盤とを連結する紐状部とを有するコイル取付具を用いて、前記吸盤を前記ＣＲＴの下部側の裏面に吸着させることによって、消磁コイルを前記ＣＲＴの裏面側に張設した状態で取付固定するようにしたことを特徴とするＣＲＴへの消磁コイルの取付構造。
【請求項３】
前記輪状体は、前記消磁コイルを外側から入れることが可能な開閉可能な部分を有するホルダーで構成されていることを特徴とする請求項２に記載のＣＲＴへの消磁コイルの取付構造。
【請求項４】
前記輪状体は、前記消磁コイルを外側から入れることが可能な有端形状の複数巻きの輪状ホルダーで構成されていることを特徴とする請求項２に記載のＣＲＴへの消磁コイルの取付構造。
【発明の詳細な説明】
【０００１】
【発明の属する技術分野】
本発明は、ＣＲＴの上部の左右両側端部の耳部又は耳部に取り付けられた両ホルダーに消磁コイルを引っ掛けて、前記消磁コイルを張設した状態でその下部を前記ＣＲＴの下部側の裏面に取付固定するようにしたＣＲＴへの消磁コイルの取付構造に関する。
【０００２】
【従来の技術】
従来、ＣＲＴに消磁コイルを取り付けるには、例えば、図５に示すように、ＣＲＴ１０１の上部の左右両側端部の耳部１０２、１０３に取り付けられた両ホルダー１０４、１０５に消磁コイル１０６を引っ掛けて、消磁コイル１０６を張設した状態でその下部をガラステープ１０７によってＣＲＴ１０１の下部側の裏面に取付固定するようにした。
ところが、これにおいては、ガラステープ１０７を予め用意しておかなければならなかった。
【０００３】
第１の従来技術を図６、図７、図８に示す。絶縁シート２０５の表裏面におのおの導電箔２０１、２０３を円弧状に形成するようにし、導電箔接触部２０２の絶縁シート２０５を順次重ね合わせ、表裏面の導電箔を順次接続して構成されるものである。
そして、消磁コイル２０５Ａ、２０５Ｂの取り付けを行う際、消磁コイル２０５Ａ、２０５Ｂに固定されたマジックテープ２１３ａとＣＲＴファンネル面２１４に固定されたマジックテープ２１３ｂをかさね合わすことにより消磁コイル２０５Ａ、２０５Ｂをファンネル面２１４に簡単に取り付けることができるようにしたものである。（例えば、特許文献１参照）。
ところが、これは、本願発明における消磁コイルとは構成が異なるものであった。
また、本願発明のように、消磁コイルを回して移動できるものではなかった。
【０００４】
第２の従来技術を図９、図１０（ａ）（ｂ）（ｃ）、図１１に示す。コイル状体結束帯３０１は、コイル状体である鋼板のコイル３０２を結束するために用いられる結束体であり、帯部３１１と、第１結束部３３１及び第２結束部３３２とからなる結束部３１３と、ゴム製磁石や吸盤等の仮止め部３１２とを備えたものである。（例えば、特許文献２参照）。
ところが、これも、本発明における消磁コイルとは構成が異なるものであった。
また、本願発明のように、消磁コイルを回して移動するような構成は記載されていない。
【０００５】
【特許文献１】
特開平５−２９２５１７号公報
【特許文献２】
特開２０００−７０１５号公報
【０００６】
【発明が解決しようとする課題】
本発明は、従来予め用意していなくてはならなかったガラステープを必要とせずに、ＣＲＴの裏面に消磁コイルを張設状態で容易に取り付けることができ、消磁コイルのどの部分が下にきてもこの消磁コイルをＣＲＴの裏面に取り付けることができ、何回も取り外し可能とすることができるＣＲＴへの消磁コイルの取付構造を提供する事を目的としている。
【０００７】
【課題を解決するための手段】
本発明は、上記課題を解決するために提案されたものであって、請求項１に記載の発明は、ＣＲＴの上部の左右両側端部の耳部に取り付けられた両ホルダーに消磁コイルを引っ掛けて、前記消磁コイルを張設した状態でその下部を前記ＣＲＴの下部側の裏面に取付固定するようにしたＣＲＴへの消磁コイルの取付構造において、前記消磁コイルが左右移動可能に通されている輪状部と、前記ＣＲＴの下部側の裏面に吸着される吸盤と、前記輪状部と前記吸盤とを連結する紐状部とからなるゴム製のコイル取付具を用いて、前記吸盤を前記ＣＲＴの下部側の裏面に吸着させることによって、前記消磁コイルを前記ＣＲＴの裏面側に張設した状態で取付固定するようにしたことを特徴としている。
【０００８】
請求項２に記載の発明は、ＣＲＴの上部の左右両側端部の耳部又は耳部に取り付けられた両ホルダーに消磁コイルを引っ掛けて、前記消磁コイルを張設した状態でその下部を前記ＣＲＴの下部側の裏面に取付固定するようにしたＣＲＴへの消磁コイルの取付構造において、前記消磁コイルが左右移動可能に通される輪状体と、前記ＣＲＴの下部側の裏面に吸着される吸盤と、前記輪状部と前記吸盤とを連結する紐状部とを有するコイル取付固定具を用いて、前記吸盤を前記ＣＲＴの下部側の裏面に吸着させることによって、消磁コイルを前記ＣＲＴの裏面側に張設した状態で取付固定するようにしたことを特徴としている。
【０００９】
請求項３に記載の発明は、前記輪状体は、前記消磁コイルを外側から入れることが可能な開閉可能な部分を有するホルダーで構成されていることを特徴としている。
請求項４に記載の発明は、前記輪状体は、前記消磁コイルを外側から入れることが可能な有端形状の複数巻きの輪状ホルダーで構成されていることを特徴としている。
【００１０】
【発明の実施の形態】
以下、本発明に係るＣＲＴへの消磁コイルの取付構造の実施の形態について、図を参照しつつ説明する。
図１は本発明の第１実施形態のＣＲＴへの消磁コイルの取付構造を示し、（ａ）はその斜視図、（ｂ）はその要部の斜視図である。
【００１１】
この第１実施形態のＣＲＴへの消磁コイルの取付構造は、図１（ａ）に示すように、ＣＲＴ１の上部の左右両側端部の耳部２、３に取り付けられた両ホルダー４、５に消磁コイル６を引っ掛けて、消磁コイル６を張設した状態でその下部を吸盤７を有するゴム製のコイル取付具８で、ＣＲＴ１の下部側の裏面に取付固定するようにしている。このコイル取付具８は、図１（ｂ）に示すように、消磁コイル６が左右移動可能に通されている輪状部９と、ＣＲＴ１の下部側の裏面に吸着される吸盤７と、輪状部９と吸盤７とを連結する紐状部１０とで一体に構成されている。
そして、このコイル取付具８の吸盤７をＣＲＴ１の下部側の裏面に吸着させることによって、消磁コイル６をＣＲＴ１の裏面側に張設した状態で取付固定するようにしている。
【００１２】
したがって、この第１実施形態によれば、従来予め用意していなくてはならなかったガラステープを必要とせずに、吸盤７をＣＲＴ１の裏面に吸着させるだけで、ＣＲＴ１の裏面に消磁コイル６を張設状態で容易に取り付けることができる。
更に、輪状部９に消磁コイル６が左右移動可能に通されているので、消磁コイル６のどの部分が下にきてもこの消磁コイル６をＣＲＴ１の裏面に取り付けることができる。
また、吸盤７をＣＲＴ１の裏面に吸着しているので、何回も取り外し可能とすることができる。
【００１３】
図２は第２実施形態のＣＲＴへの消磁コイルの取付構造の要部の斜視図である。
この第２実施形態のＣＲＴへの消磁コイルの取付構造は、図２に示すように、第１実施形態における輪状部９に替えて、輪状体として、消磁コイル６を外側から入れることが可能な開閉可能な部分１１ａを有するホルダー１１を使用している。
このホルダー１１の開閉可能な部分１１ａは、略Ｃ字形のホルダー本体部１１ｂに対して閉まる方向に付勢された棒状の係止片に形成されている。
【００１４】
したがって、この第２実施形態によれば、ホルダー１１の開閉可能な部分１１ａを開けることによって、消磁コイル６を外側から入れることができるので、消磁コイル６をＣＲＴ１の耳部２、３に取り付けられた両ホルダー４、５に引っ掛けた後にこの消磁コイル６に取り付けることができるとともに、消磁コイル６とホルダー１１からなる輪状体を一度に一体に形成せずに済むので、製作が容易である。
【００１５】
図３は第３実施形態のＣＲＴへの消磁コイルの取付構造の要部の斜視図である。
この第３実施形態のＣＲＴへの消磁コイルの取付構造は、図３に示すように、第１実施形態における輪状部９に替えて、輪状体として、消磁コイル６を外側から入れることが可能な有端形状の複数巻きの輪状ホルダー１２を使用している。
したがって、この第３実施形態によれば、この輪状ホルダー１２に消磁コイル６を外側から入れることができるので、消磁コイル６をＣＲＴ１の耳部２、３に取り付けられた両ホルダー４、５に引っ掛けた後にこの消磁コイル６に取り付けることができるとともに、消磁コイル６と輪状ホルダー１２からなる輪状体とを一度に一体に形成せずに済むので、製作が容易である。
しかも、この輪状ホルダー１２は、構造が簡単であるので、安価にできる。
【００１６】
図４は第４実施形態のＣＲＴへの消磁コイルの取付構造の斜視図である。
この第４実施形態のＣＲＴへの消磁コイルの取付構造は、図４に示すように、ＣＲＴ１の上部の左右両側端部の耳部２、３に消磁コイル６を引っ掛けて、消磁コイル６を張設した状態でその下部を吸盤７を有するゴム製のコイル取付具８で、ＣＲＴ１の下部側の裏面に取付固定するようにしている。このコイル取付具８は、消磁コイル６が左右移動可能に通されている輪状部９と、ＣＲＴ１の下部側の裏面に吸着される吸盤７と、輪状部９と吸盤７とを連結する紐状部１０とで一体に構成されている。
【００１７】
そして、このコイル取付具８の吸盤７をＣＲＴ１の下部側の裏面に吸着させることによって、消磁コイル６をＣＲＴ１の裏面側に張設した状態で取付固定するようにしている。
したがって、この第４実施形態によれば、消磁コイル６をＣＲＴ１の耳部２、３に直接引っ掛けているので、両ホルダー４、５を必要としない。
【００１８】
【発明の効果】
以上説明したように、請求項１に記載の発明は、ＣＲＴの上部の左右両側端部の耳部に取り付けられた両ホルダーに消磁コイルを引っ掛けて、消磁コイルを張設した状態でその下部をＣＲＴの下部側の裏面に取付固定するようにしたＣＲＴへの消磁コイルの取付構造において、消磁コイルが左右移動可能に通されている輪状部と、ＣＲＴの下部側の裏面に吸着される吸盤と、輪状部と吸盤とを連結する紐状部とからなるゴム製のコイル取付具を用いて、吸盤をＣＲＴの下部側の裏面に吸着させることによって、消磁コイルをＣＲＴの裏面側に張設した状態で取付固定するようにしたので、以下に述べる効果を奏する。
【００１９】
即ち、従来予め用意していなくてはならなかったガラステープを必要とせずに、吸盤をＣＲＴの裏面に吸着させるだけで、ＣＲＴの裏面に消磁コイルを張設状態で容易に取り付けることができる。
更に、輪状部に消磁コイルが左右移動可能に通されているので、消磁コイルのどの部分が下にきてもこの消磁コイルをＣＲＴの裏面に取り付けることができる。
また、吸盤をＣＲＴの裏面に吸着しているので、何回も取り外し可能とすることができる。
【００２０】
請求項２に記載の発明は、ＣＲＴの上部の左右両側端部の耳部又は耳部に取り付けられた両ホルダーに消磁コイルを引っ掛けて、消磁コイルを張設した状態でその下部をＣＲＴの下部側の裏面に取付固定するようにしたＣＲＴへの消磁コイルの取付構造において、消磁コイルが左右移動可能に通される輪状体と、ＣＲＴの下部側の裏面に吸着される吸盤と、輪状部と吸盤とを連結する紐状部とを有するコイル取付具を用いて、吸盤をＣＲＴの下部側の裏面に吸着させることによって、消磁コイルをＣＲＴの裏面側に張設した状態で取付固定するようにしたので、以下に述べる効果を奏する。
【００２１】
即ち、従来予め用意していなくてはならなかったガラステープを必要とせずに、吸盤をＣＲＴの裏面に吸着させるだけで、ＣＲＴの裏面に消磁コイルを張設状態で容易に取り付けることができる。
更に、輪状体に消磁コイルが左右移動可能に通されているので、消磁コイルのどの部分が下にきてもこの消磁コイルをＣＲＴの裏面に取り付けることができる。
また、吸盤をＣＲＴの裏面に吸着しているので、何回も取り外し可能とすることができる。
【００２２】
請求項３に記載の発明は、輪状体は、消磁コイルを外側から入れることが可能な開閉可能な部分を有するホルダーで構成されているので、ホルダーの開閉可能な部分を開けることによって、消磁コイルを外側から入れることができるから、消磁コイルをＣＲＴの耳部又は耳部に取り付けられた両ホルダーに引っ掛けた後にこの消磁コイルに取り付けることができるとともに、消磁コイルとホルダーからなる輪状体を一度に一体に形成せずに済むので、製作が容易である。
【００２３】
請求項４に記載の発明は、輪状体は、消磁コイルを外側から入れることが可能な有端形状の複数巻きの輪状ホルダーで構成されているので、この輪状ホルダーに消磁コイル６を外側から入れることができるから、消磁コイルをＣＲＴの耳部又は耳部に取り付けられた両ホルダーに引っ掛けた後にこの消磁コイルに取り付けることができるとともに、消磁コイルと輪状ホルダーからなる輪状体とを一度に一体に形成せずに済むので、製作が容易である。
しかも、この輪状ホルダーは、構造が簡単であるので、安価にできる。
【図面の簡単な説明】
【図１】第１実施形態のＣＲＴへの消磁コイルの取付構造を示し、（ａ）はその斜視図、（ｂ）はその要部の斜視図である。
【図２】第２実施形態のＣＲＴへの消磁コイルの取付構造の要部の斜視図である。
【図３】第３実施形態のＣＲＴへの消磁コイルの取付構造の要部の斜視図である。
【図４】第４実施形態のＣＲＴへの消磁コイルの取付構造の斜視図である。
【図５】従来のＣＲＴへの消磁コイルの取付構造を示す斜視図である。
【図６】従来の消磁コイルの分解斜視図である。
【図７】同消磁コイルの斜視図である。
【図８】同消磁コイルの取付状態を示す側面図である。
【図９】従来のコイル状体結束帯の平面図である。
【図１０】同コイル状体結束帯を用いてコイルを結束する手順を示し、（ａ）はそのコイル状体結束帯でコイルを結束する直前の状態を示す斜視図、（ｂ）はそのコイル状体結束帯でコイルを結束する途中の状態を示す斜視図、（ｃ）はそのコイル状体結束帯でコイルを結束した状態を示す斜視図である。
【図１１】仮止め部に吸盤を用いたコイル状体結束帯の平面図である。
【符号の説明】
１          ＣＲＴ
２、３      左右両側端部
４、５      両ホルダー
６          消磁コイル
７          吸盤
８          コイル取付具
９          輪状部
１０        紐状部
１１        ホルダー
１１ａ      開閉可能な部分
１２        複数巻きの輪状ホルダー
【図１】
2004328684.tif 000003
【図２】
2004328684.tif 000004
【図３】
2004328684.tif 000005
【図４】
2004328684.tif 000006
【図５】
2004328684.tif 000007
【図６】
2004328684.tif 000008
【図７】
2004328684.tif 000009
【図８】
2004328684.tif 000010
【図８】
2004328684.tif 000011
【図９】
2004328684.tif 000012
【図１０】
2004328684.tif 000013
【図１１】
2004328684.tif 000014
【手続補正書】
【提出日】平成15年6月6日(2003.6.6)
【手続補正１】
【補正対象書類名】図面
【補正対象項目名】全図
【補正方法】変更
【補正の内容】
【図１】
2004328684.tif 000015
【図２】
2004328684.tif 000016
【図３】
2004328684.tif 000017
【図４】
2004328684.tif 000018
【図５】
2004328684.tif 000019
【図６】
2004328684.tif 000020
【図７】
2004328684.tif 000021
【図８】
2004328684.tif 000022
【図９】
2004328684.tif 000023
【図１０】
2004328684.tif 000024
【図１１】
2004328684.tif 000025